(57)【要約】【課題】 体型補正機能を持つズボンを提供する。【解決手段】ズボン１１と、ズボンの内部に備えられ、その枠部がズボンに部分的に固定された状態で、ズボン着用者の臀部を弾力的に支持する弾力布と、前記弾力布に備えられ、弾力布に厚みを提供して、ズボンの外部に表れる着用者の臀部にボリューム感を提供する一対のパッド２５ｆとを備える、体型補正機能を持つズボンである。【選択図】 図９
2010106431.tif 000002
【特許請求の範囲】
【請求項１】
ズボンと、
前記ズボンの内部に備えられ、その枠部がズボンに部分的に固定された状態で、ズボン着用者の臀部を弾力的に支持する弾力布と、
前記弾力布に備えられ、弾力布に厚みを提供して、ズボンの外部に表れる着用者の臀部にボリューム感を提供する一対のパッドと、を備えることを特徴とする体型補正機能を持つズボン。
【請求項２】
前記パッドを弾力布に位置させるように、弾力布には、パッドを収容するポケット部が設けられたことを特徴とする請求項１に記載の体型補正機能を持つズボン。
【請求項３】
前記ポケット部は、必要時にパッドをポケット部の外部に取り出せるように、開放口を通じて開放されたことを特徴とする請求項２に記載の体型補正機能を持つズボン。
【請求項４】
前記弾力布は、
その両側端部は、ズボン両側の裁縫部に固定され、上端部は、ズボンのベルト部に固定され、下端部の中央は、ズボンのクロッチ部に固定されることを特徴とする請求項１に記載の体型補正機能を持つズボン。
【請求項５】
前記弾力布には、
ズボンを着用した着用者の臀部を上に支え上げると共に、中央に引きつけるヒップ補正バンドがさらに備えられたことを特徴とする請求項１ないし４のうちいずれか１項に記載の体型補正機能を持つズボン。
【請求項６】
前記弾力布には、
ズボンを着用した着用者のズボンの外部に表れる太腿ラインがスリムに見えるように、太腿を加圧補正する太腿補正バンドがさらに備えられたことを特徴とする請求項５に記載の体型補正機能を持つズボン。
【請求項７】
前記弾力布には、
ズボンを着用した着用者のズボンの外部に表れる太腿ラインがスリムに見えるように、太腿を加圧補正する太腿補正バンドがさらに備えられたことを特徴とする請求項１ないし４のうちいずれか１項に記載の体型補正機能を持つズボン。
【請求項８】
前記ヒップ補正バンドの側部には、ヒップ補正バンドに固定された状態で前記ズボン両側の裁縫部に固定され、ズボン着用者の臀部を中央に引きつける第２加圧バンドがさらに備えられたことを特徴とする請求項５に記載の体型補正機能を持つズボン。
【発明の詳細な説明】
【技術分野】
【０００１】
本発明は、体型補正機能を持つズボンに関する。
【背景技術】
【０００２】
最近、自分自身の気分や好みを重要視する生活パターンを持つ女性が増加するにつれて、より快適な感じと自分なりのスタイルを満足させる多彩な服が開発及びアピールされている。このような服は、服の基本機能を有すると同時に、美しくて魅力的なボディラインを見せたい女性の願望を充足させる役割を行う。
【０００３】
一方、着用者の体型補正を主目的とする服は、主にアンダーウェアであり、ボディラインを整理してスタイルを活かすことはもとより、究極的には上着のスタイルを引き立たせる。例えば、ガードル（ｇｉｒｄｌｅ）は、着用者の（皮下脂肪を正しい位置に分配させることによって）垂れた臀部を上に支え上げるか、太腿をスリムに引き締めることによって、例えば、からだにピッタリとフィットするジーンズを着ても、臀部の部位を魅力的でスリムに見せ、自信のある生活を送れるようにする。
【０００４】
ところが、従来のガードルは、身体を圧迫するものであり、ほとんど伸縮性がないので、着替えが非常に不便であり、臀部や太腿部位を必要以上にひどく引き締めて血液循環を阻害することもある。また、垂れた臀部をある程度支え上げるか、太腿をスリムに引き締めることはできるが、臀部自体が小さくて貧弱な人の場合、臀部をさらに大きくてピチピチしたものにするなどの補正効果を提供できないという限界があった。
【発明の概要】
【発明が解決しようとする課題】
【０００５】
本発明は、前記問題点に鑑みてなされたものであり、臀部の形状を補正するための弾力布がズボン内部に一体型に固定されているので、既存のガードルを着用する方式ではなく、ズボンだけ履けばヒップラインの補正がなされて便利であり、一般的なガードルとは異なって腹部を除外して臀部だけを加圧するため、腹部部位の血液循環を阻害せずに不快な感じを与えず、着替えに不便でなく、特にパッドを適用する場合、ズボンの外部に表れるヒップラインをさらに弾力あって魅力的に演出できる体型補正機能を持つズボンを提供するところに目的がある。
【課題を解決するための手段】
【０００６】
前記目的を達成するために本発明は、ズボンと、前記ズボンの内部に備えられ、その枠部がズボンに部分的に固定された状態で、ズボン着用者の臀部を弾力的に支持する弾力布と、前記弾力布に備えられ、弾力布に厚みを提供して、ズボンの外部に表れる着用者の臀部にボリューム感を提供する一対のパッドと、を備えることを特徴とする。
【０００７】
また、前記パッドを弾力布に位置させるように、弾力布には、パッドを収容するポケット部が設けられたことを特徴とする。
【０００８】
また、前記ポケット部は、必要時にパッドをポケット部の外部に取り出せるように、開放口を通じて開放されたことを特徴とする。
【０００９】
また、前記弾力布は、その両側端部は、ズボン両側の裁縫部に固定され、上端部は、ズボンのベルト部に固定され、下端部の中央は、ズボンのクロッチ部に固定されることを特徴とする。
【００１０】
また、前記弾力布には、ズボンを着用した着用者の臀部を上に支え上げると共に、中央に引きつけるヒップ補正バンドがさらに備えられたことを特徴とする。
【００１１】
また、前記弾力布には、ズボンを着用した着用者のズボンの外部に表れる太腿ラインがスリムに見えるように、太腿を加圧補正する太腿補正バンドがさらに備えられたことを特徴とする。
【００１２】
また、前記ヒップ補正バンドの側部には、ヒップ補正バンドに固定された状態で前記ズボン両側の裁縫部に固定され、ズボン着用者の臀部を中央に引きつける第２加圧バンドがさらに備えられたことを特徴とする。
【発明の効果】
【００１３】
本発明による体型補正機能を持つズボンは、臀部の形を補正するための弾力布がズボン内部に一体型に固定されているので、既存のガードルを着用する方式ではなく、ズボンだけ履けばヒップラインの補正がなされて便利であり、一般的なガードルとは異なって腹部を除外して臀部だけを加圧するため、腹部部位の血液循環を阻害せずに不快な感じを与えず、着替えに不便でなく、特にパッドを適用する場合、ズボンの外部に表れるヒップラインをさらに弾力があり魅力的に演出できる。
【図面の簡単な説明】
【００１４】
【図１】本発明の第１参考形態による体型補正機能を持つズボンの内部構成を示す分解斜視図である。
【図２】前記図１に図示したガードルの作用を説明するために示した図面である。
【図３】本発明の第２参考形態による体型補正機能を持つズボンの内部構成を示す分解斜視図である。
【図４】前記図３に図示したガードルの作用を説明するために示した図面である。
【図５】本発明の第３参考形態による体型補正機能を持つズボンの内部構成を図示した分解斜視図である。
【図６】前記図５に図示したガードルの作用を説明するために示した図面である。
【図７】本発明の第４参考形態による体型補正機能を持つズボンの内部構成を図示した分解斜視図である。
【図８】前記図７に図示したガードルの作用を説明するために示した図面である。
【図９】本発明の実施形態による体型補正機能を持つズボンの内部構成を示す分解斜視図である。
【図１０】前記図９に図示したガードルを別途に示した斜視図である。
【図１１】前記図１０に図示したガードルの細部構成及び作用を説明するために示す図面である。
【図１２】前記図１０に図示したガードルの細部構成及び作用を説明するために示す図面である。
【発明を実施するための形態】
【００１５】
以下、本発明による一つの実施形態を添付された図面を参照してさらに詳細に説明する。なお、図１〜図８は参考形態を示し、図９〜図１２が本願発明の実施形態を示す。
【００１６】
図１は、本発明の第１参考形態による体型補正機能を持つズボンの内部構成を示す分解斜視図である。
【００１７】
図面を参照すれば、本発明の第１参考形態による体型補正機能を持つズボンは、ズボン１１と、前記ズボン１１の内部に固定されて一体をなして、着用者の臀部の部位に弾力的に密着する弾力布１７ａと、前記弾力布１７ａの外側面所定位置に固定され、着用者の臀部を上に支え上げるヒップアップバンド１７ｅとから形成される。前記弾力布１７ａと、弾力布１７ａに裁縫されるヒップアップバンド１７ｅは、ズボンと共に着用者の臀部体型を補正するものであり、本説明では、これらを合わせてガードル１７と称する。
【００１８】
前記ズボン１１は、一般的な普通のズボンであり、裁縫を通じて結合される前部１１ａと後部１１ｂとベルト部１１ｃとを持つ。図面符号１３は、前部１１ａと後部１１ｂとを裁縫することで作られた裁縫部である。前記ベルト部１１ｃは、着用者の腰を取り囲む部位であり、裁縫された状態の前部１１ａ、後部１１ｂの上端部に裁縫結合する。さらに、図面符号１５は、ポケット用袋である。
【００１９】
一方、前記ガードル１７は、（臀部をその中に取り入れる）従来の一般的なガードルとは異なって、臀部の後で臀部の部位のみをカバーする。したがって、例えば、前記ガードル１７をズボン１１から分離したとしても、ガードル１７のみを着用することはできない。
【００２０】
前記ガードル１７をなす弾力布１７ａは、復元性を持つ伸縮性生地、いわゆる、ツーウェイ生地やこれと類似した性質の他の生地で製作される。前記弾力布１７ａの大きさは、ズボンサイズによって変わるということは言うまでもない。
【００２１】
前記弾力布１７ａの上端部は、上部縫い込み部１７ｂであり、ズボンのベルト部１１ｃと後部１１ｂとの結合部間に挟まれて裁縫される。また、弾力布１７ａの両側端部の側部縫い込み部１７ｃは、ズボンの裁縫部１３に結合する。さらに、図面には表示されていないが、前記弾力布の中央下端部は、ズボンのクロッチ部１３ａに裁縫結合する。
【００２２】
結局、第１参考形態のズボンにおいて、着用者の臀部は、前部１１ａと弾力布１７ａとの間で弾力的に引き締められる。もちろん、ズボンがタイトな場合、ガードル１７が後部１１ｂに密着するため、臀部の輪郭は、ガードル１７と後部１１ｂを通じて外部に表れる。
【００２３】
また、前記弾力布１７ａの中央部には、ゴム糸裁縫部１７ｄが位置する。前記ゴム糸裁縫部１７ｄは、公知のゴム糸（ゴムで作られた裁縫用糸）で、弾力布１７ａの中央部を裁縫したものである。公知の事実のように、ゴム糸は弾性力を持つので（弾力布１７ａ自体の弾力性に自身の弾力性を追加して）、弾力布１７ａを着用者の臀部にさらに安定的に密着させる。
【００２４】
特に、前記ゴム糸裁縫部１７ｄは、本発明のズボンを購入して着用する人の臀部サイズが少しずつ異なるとしても、座ったり立つ時、またはその他の活動時、常に一定の密着感を提供して心理的に安らぎを与える。
【００２５】
一方、前記ヒップアップバンド１７ｅは、臀部を図２の矢印ａ方向に支え上げて中央に引きつけるものであり、非伸縮性織物から形成される。例えば、非伸縮性トリコット織物で製作できる。または、通気性を考慮してネット状の織物で製作することもできる。
【００２６】
ところで、前記ヒップアップバンド１７ｅは、図２に示したように、弾力布１７ａの中心部を基準に左右対称をなしつつ、臀部を矢印ａ方向に引き上げる。前記ヒップアップバンド１７ｅにより（本実施形態のズボンを着用することによって）、平常時垂れていた臀部がヒップアップされて、弾力性のあるピチピチしたヒップラインを演出できる。
【００２７】
図２は、前記図１に図示したガードルの作用を説明するために示した図面である。
【００２８】
図示したように、ガードル１７をなす弾力布１７ａが着用者の臀部Ａに密着した状態で、ヒップアップバンド１７ｅが臀部の下方部位を矢印ａ方向に上向き支持している。前記ヒップアップバンド１７ｅの曲率や幅などの形状は、場合によっていくらでも変わりうるということは言うまでもない。
【００２９】
図３は、本発明の第２参考形態による体型補正機能を持つズボンの内部構成を示す分解斜視図であり、図４は、前記図３に図示したガードルを別途に示した図面である。
【００３０】
以下、前記した図面符号と同じ図面符号は、同一機能の同じ部材を意味し、それに関する反復された説明は省略する。
【００３１】
図３及び図４を参照すれば、第２参考形態による体型補正機能を持つズボンに適用されるガードル１９には、前記ヒップアップバンド１７ｅ以外に１対の支持バンド１９ａがさらに備えられていることが分かる。前記支持バンド１９ａは、その下端がヒップアップバンド１７ｅの両端部に連結固定された状態で、上部縫い込み部１７ｂに向かって上方に延びた非伸縮性生地部材である。前記ヒップアップバンド１７ｅと支持バンド１９ａとは、その隣接端部が裁縫を通じて相互結合されている。前記ヒップアップバンド１７ｅと支持バンド１９ａとは、同じ種類の非伸縮性繊維で製作でき、通風を考慮して通風性を持つメッシュ生地を適用できる。
【００３２】
前記支持バンド１９ａは、図４に示したように、弾力布１７ａの両側部に対称に固定されて、着用者の臀部Ａを矢印ｂ方向に押さえる。前記支持バンド１９ａの作用により、臀部が脇に広がらず（後から見た時）、臀部が広く見えることを防止することができる。
【００３３】
図５は、本発明の第３参考形態による体型補正機能を持つズボンの内部構成を図示した分解斜視図であり、図６は、前記図５に図示したガードルを別途に示した図面である。
【００３４】
図５及び図６を参照すれば、第３実施形態による体型補正機能を持つズボンに備えられるガードル２１には、第２実施形態のガードル（図３の１９）と比べて、加圧バンド２１ａがさらに備えられていることが分かる。
【００３５】
前記加圧バンド２１ａは、弾力布１７ａの両側部下端に裁縫固定されたものであり、着用者の太腿Ｂの外側部を矢印ｃ方向に押さえて支持する。人によって臀部Ａの両側部を矢印ｂ方向に押さえれば、太腿の外側部が相対的に突き出る場合があるが、前記加圧バンド２１ａが、この突き出る現象を防止する。すなわち、前記加圧バンド２１ａにより着用者の太腿がスリムに見える。前記加圧バンド２１ａとして、ヒップアップバンド１７ｅと同じ種類の布を適用する。さらに、場合によって、前記加圧バンド２１ａの形状を変更してヒップアップバンド１７ｅに連結固定させることもある。
【００３６】
図７は、本発明の第４参考形態による体型補正機能を持つズボンの内部構成を図示した分解斜視図であり、図８は、前記図７に図示したガードルの作用を説明するために示した図面である。
【００３７】
図７及び図８に示したように、第４参考形態による体型補正機能を持つズボンでのガードル２３には（第３参考形態と比べて）、引張りバンド２３ｂがさらに備えられている。前記引張りバンド２３ｂは、その一端部がヒップアップバンド１７ｅの両端部に固定され、前方上部に延びたものであり、延長端部は、ズボンのベルト部１１ｃ内に挿入固定される。
【００３８】
前記引張りバンド２３ｂは、伸縮性を持ってヒップアップバンド１７ｅを矢印ｃ方向に引き上げる。特に、前記引張りバンド２３ｂは、弾力布１７ａには接せず、ただし、その延長端部がズボンのベルト部１１ｃに固定されて、弾力布１７ａが着用者の臀部にさらに弾力的に接して、座ったり立ったり、または運動する時、弾力布１７ａを常に臀部に密着させて、心理的な満足感を持つことができる。
【００３９】
図９は、本発明の実施形態による体型補正機能を持つズボンを一部切開して示した斜視図である。
【００４０】
図面を参照すれば、本実施形態による体型補正機能を持つズボンは、ズボン１１と、前記ズボン１１の内部に固定されて、着用者の臀部の部位を弾力的に支え上げて引きつけるガードル２５とで構成される。
【００４１】
前記ガードル２５は、第１参考形態ないし第４参考形態でのガードルと同様に、（臀部をその中に取り入れる）従来の一般的なガードルとは異なって、臀部の後で臀部の部位のみをカバーし、弾力的に支持するものである。したがって、例えば、前記ガードル２５をズボン１１から分離したとしても、ガードル２５のみを着用することはできない。
【００４２】
前記ガードル２５の両側の側部縫い込み部２５ｃ及びクロッチ部は、前記ズボン１１の裁縫部１３に結合し、上部縫い込み部２５ｂは、ベルト部１１ｃの内部に挿入されてベルト部１１ｃ内に裁縫される。結局、本実施形態のズボンにおいて、着用者の臀部は、前部１１ａとガードル２５との間で弾力的に引き締められる。もちろん、ズボンがタイトな場合、ガードル２５が後部１１ｂに密着するため、臀部の輪郭は、ガードル２５と後部を通じて外部に表れる。
【００４３】
また、前記ガードル２５には、ヒップ補正バンド２５ｄと加圧バンド２１ａ（大腿補正バンド）と第２加圧バンド２５ｐと弾力パッド（図１０の２５ｆ）が備えられる。前記ヒップ補正バンド２５ｄは、着用者の臀部を上部に支え上げると同時に中心に引きつけて、外部に表れる臀部のラインを魅力的に見えるようにする。
【００４４】
前記ヒップ補正バンド２５ｄは、前記ヒップアップバンド１７ｅと支持バンド１９ａとの役割を同時に具現するものである。また、加圧バンド２１ａは、前記のように、着用者の太腿の外側部を押さえて太腿をスリムに見せるものである。さらに、前記第２加圧バンド２５ｐは、ヒップ補正バンド２５ｄと同じ材質から形成されたものであり、ヒップ補正バンド２５ｄに裁縫固定された状態で、側部縫い込み部２５ｃに延びる。前記第２加圧バンド２５ｐは、ズボンの裁縫部１３に結合して、ズボン着用者の臀部の両側部を押さえて、臀部の側部ラインが突き出ないようにしてボリューム感のあるヒップラインを演出する。
【００４５】
前記弾力パッド２５ｆは、所定厚みを持つ弾性部材であり、着用者の臀部の後に位置して、臀部をさらにボリューム感のあるように演出する。このような弾力パッド２５ｆは、臀部が多少貧弱な場合に使用するものであり、着用者の体型によっては使用しなくてもよい。前記弾力パッドとして、例えば、スポンジやラテックス類を例として挙げることができる。
【００４６】
図１０は、前記図９に図示したガードルを別途に示した斜視図である。
【００４７】
図示したように、本実施形態のズボンに適用されるガードル２５は、ズボンの内部に固定された状態で着用者の臀部に弾力的に密着する伸縮性弾力布２５ａと、帯状になって前記弾力布２５ａに裁縫されるヒップ補正バンド２５ｄと、前記弾力布２５ａの両側端の下の片隅部に備えられる加圧バンド２１ａと、を備える。
【００４８】
また、前記弾力布２５ａの中央部には、二つのポケット部２５ｅが位置し、前記ポケット部２５ｅの内部に前記した弾力パッド２５ｆが備えられる。前記のような構成を持つガードル２５の形状を、必要に応じていくらでも異なってデザインできるということは言うまでもない。
【００４９】
ところで、前記ヒップ補正バンド２５ｄは、図１１の矢印ｋ方向に臀部を支え上げて中央に引きつける。前記ヒップ補正バンド２５ｄは、非伸縮性織物から形成される。例えば、非伸縮性トリコット織物で製作できる。または、通気性を考慮してネット状の織物を適用してもよい。
【００５０】
前記ヒップ補正バンド２５ｄは、図１１に示したように、臀部を矢印ｋ方向に引きつけると同時に、弾力布２５ａの中心部を基準に左右対称をなして、臀部を矢印ｆ方向に引き上げる。前記ヒップ補正バンド２５ｄにより（本実施形態のズボンを着用することによって）、平常時に垂れている臀部が上げられて、弾力があってきれいなヒップラインを演出できる。
【００５１】
一方、前記ポケット部２５ｅは、弾力パッド２５ｆを弾力布２５ａの該当部位に位置させるためのものである。前記ポケット部２５ｅは、弾力布２５ａにポケット布２５ｍを裁縫して構成される。すなわち、前記弾力布２５ａの外側面に所定形状のポケット布２５ｍをあてがって、その枠部を裁縫することで、内部空間２５ｎを持つポケットを製作できる。特に、前記ポケット布２５ｍを弾力布２５ａに裁縫することで生じたポケット部裁縫線２５ｇは、閉曲線をなさずに一部が開放されて、開放口２５ｋを提供する。
【００５２】
前記開放口２５ｋは、ポケット部２５ｅの内部空間２５ｎを外部に開放する通路である。前記開放口２５ｋを通じて、ポケット部２５ｅから弾力パッド２５ｆを取り出すこともでき、空いている内部空間２５ｎに弾力パッド２５ｆを挿入することもできる。前記開放口２５ｋの大きさは、ポケット部２５ｅの大きさによって適切に設計される。
【００５３】
図１１及び図１２は、前記図１０に図示したガードルの細部構成及び作用を説明するために示す図面である。
【００５４】
図１１を参照すれば、前記弾力布２５ａにヒップ補正バンド２５ｄが対称に裁縫されていることが分かる。前記ヒップ補正バンド２５ｄは、その内部領域に前記ポケット部２５ｅを収容した状態で、着用者の臀部を矢印ｆ方向に支え上げると共に、矢印ｋ方向に引きつける役割を担う。
【００５５】
前記ヒップ補正バンド２５ｄの役割により、図１２に示したように、臀部の下部が矢印ｘ方向に引き締められ、臀部は矢印ｚ方向に突出して、結果的にヒップラインが全体的に上方に移動する。
【００５６】
さらに前記ポケット部２５ｅに内蔵されている弾力パッド２５ｆにより、臀部の矢印ｚ方向への突出量はさらに増加する。これは、ヒップ補正バンド２５ｄで臀部を過度に引き締めて加圧しなくても（弾力パッド２５ｆが適用されているかぎり）、臀部を所望の程度に十分に補正できるということを意味する。場合によって、前記ヒップ補正バンド２５ｄだけでも十分な補正が可能ならば、前記弾力パッド２５ｆを適用しなくてもよい。
【００５７】
前記弾力布２５ａの左右側下端に固定されている加圧バンド２１ａは、ヒップ補正バンド２５ｄと同じ材質の織物で製作される。前記のように、加圧バンド２１ａは、着用者の太腿Ｂの外側部を矢印ｃ方向に押さえて、ズボンの外部に表れる脚の厚みをスリムにする。
【００５８】
臀部及び太腿部位を前記のような方式で補正できるかぎり、前記ヒップ補正バンド２５ｄ及び加圧バンド２１ａの形態はいくらでも変更できる。
【００５９】
結局、本実施形態による体型補正機能を持つズボンは、その内部に備えられているガードルが臀部を弾力加圧し、特に臀部のボリューム感を強調するので、ズボン着用者の臀部の部位をさらに魅力的に示すことはもとより、バランスの良い体型を持つようにする。
【００６０】
以上、本発明を具体的な実施形態を通じて詳細に説明したが、本発明は、前記実施形態に限定されず、本発明の技術的思想の範囲内で当業者によって色々な変形が可能である。
【符号の説明】
【００６１】
１１  ズボン
１１ａ  前部
１１ｂ  後部
１１ｃ  ベルト部
１３  ズボンの裁縫部
１３ａ  ズボンのクロッチ部
１５  ポケット用袋
１７  ガードル
１７ａ  弾力布
１７ｂ  上部縫い込み部
１７ｃ  側部縫い込み部
１７ｄ  ゴム糸裁縫部
１７ｅ  ヒップアップバンド
１９  ガードル
１９ａ  支持バンド
２１  ガードル
２１ａ  加圧バンド（大腿補正バンド）
２３  ガードル
２３ｂ  引張りバンド
２５  ガードル
２５ａ  弾力布
２５ｂ  上部縫い込み部
２５ｃ  側部縫い込み部
２５ｄ  ヒップ補正バンド
２５ｅ  ポケット部
２５ｆ  弾力パッド
２５ｇ  ポケット部裁縫線
２５ｋ  開放口
２５ｍ  ポケット布
２５ｎ  内部空間
２５ｐ  第２加圧バンド
【図１】
2010106431.tif 000003
【図２】
2010106431.tif 000004
【図３】
2010106431.tif 000005
【図４】
2010106431.tif 000006
【図５】
2010106431.tif 000007
【図６】
2010106431.tif 000008
【図７】
2010106431.tif 000009
【図８】
2010106431.tif 000010
【図９】
2010106431.tif 000011
【図１０】
2010106431.tif 000012
【図１１】
2010106431.tif 000013
【図１２】
2010106431.tif 000014